【事件の表示】
　特願２００４−５６９２３１「ビデオ・レコーダ・システムの時間ベース・ナビゲーション機能についてのユーザ指定時間値設定方法および装置」拒絶査定不服審判事件〔平成１６年　９月１６日国際公開、ＷＯ２００４／０８００５１、平成１８年　５月１１日国内公表、特表２００６−５１４８０２〕について、次のとおり審決する。
【結　論】
　本件審判の請求は、成り立たない。
【理　由】
第一　経緯
１．手続
 　本願は、平成１５年１２月３０日（パリ条約による優先権主張　平成１５年２月２６日、米国）を国際出願日とする出願であって、平成１８年１２月２０日付けで手続補正がなされた後、平成２１年６月３０日付けで拒絶理由が通知され、これに対して平成２１年１２月２８日付けで手続補正がなされたが、平成２２年９月２８日付けで拒絶査定がなされ、これに対し、平成２３年２月１日付けで拒絶査定に対する審判請求がなされたものである。 
 　
２．査定
　原査定の理由は、概略、以下のとおりである。
   　
　補正後の各請求項にかかる発明は、下記の引用文献及び周知技術から容易に発明をすることができたものであるから、特許法第２９条第２項の規定により特許を受けることができない。
  　
　　　　　　　　　　　　　　記
１．特開２００２−２２３４０８号公報
２．再公表特許第９８／４７１４６号
   　
第二　本願発明
　本願の請求項１から２３までに係る各発明は、本願明細書及び図面（平成２１年１２月２８日付けの手続補正書により補正された明細書及び図面）の記載からみて、それぞれ、その特許請求の範囲の請求項１から２３までに記載した事項により特定されるとおりのものであるところ、そのうち、請求項１に係る発明（以下、「本願発明」という。）は次のとおりのものである。
　
「【請求項１】
　ビデオ・レコーディング・システムに於ける時間ベース・ナビゲーション機能の時間値を管理する方法であって、
　時間ベース・ナビゲーション機能について、供給された複数の予め設定された時間値から選択される、再設定時間値を指定するユーザ入力を受け付けるステップと、
　前記時間ベース・ナビゲーション機能について、前記再設定時間値を、今後の使用のために、記憶するステップと、
　を含む方法。」
　
第三　当審の判断
１．刊行物
１−１．引用刊行物の記載
　原査定の拒絶理由に引用された特開２００２−２２３４０８号公報（平成１４年８月９日公開、以下「刊行物１」ともいう）には、動画情報を再生するための再生装置に関する発明であって【段落０００１】、簡便に短時間の早送り、巻戻しが可能な動画再生装置の提供を目的とする発明が記載されており（段落【００１１】）、当該発明の実施の形態（実施例）として、上記刊行物１には、図面（図１〜図４）と共に次の記載がある。
　
【００３２】図１に示すように、本実施例の動画再生装置１は、主として、外部入力端子Ｔ１及びアンテナ入力端子Ｔ２に接続された動画受信圧縮部３と、映像出力端子Ｔ３及び音声出力端子Ｔ４に接続された動画伸張再生部５と、動画情報を保存するための記憶媒体であるハードディスク（ＨＤ）７と、外部装置に接続するための各種の入出力端子Ｔ５〜Ｔ８と、リモコン（リモート・コントローラ）受信部９と、これらを含む装置全体の統括的制御を行うためのＭＰＵ（Micro ProcessingUnit ）１１と、から構成されている。
【００３３】そして、本実施例の動画再生装置１は、図２に示すように、アンテナ入力端子Ｔ２を介してアンテナ１３と接続され、映像出力端子Ｔ３及び音声出力端子Ｔ４を介してテレビ受像機１５（以下、単に「テレビ（ＴＶ）」と表現する。）と接続されている。
【００３４】つまり、動画再生装置１は、アンテナ１３等から入力された動画情報を動画受信圧縮部３にて、デジタル信号に変換し、ＭＰＥＧ−２方式で圧縮（以下、「ＭＰＥＧ圧縮」と表現する。）して、ハードディスク（ＨＤ）７に保存する他、再生時には、ハードディスク７から動画情報を読み出し、動画伸張再生部５にて、動画情報を伸張し、アナログ信号に変換して、該動画情報をＴＶ１５等の外部装置に出力する。
【００５２】また更に、動画再生装置１は、リモコン操作を可能とするために、リモコン受信部９を備えており、図２に示すように、利用者は、リモコン５９から各種操作を行うことにより、リモコン受信部９を介して動画再生装置１に、操作に対応する動作を指令することができる。
【００５３】特に、本実施例の動画再生装置１のリモコン５９には、動画再生装置１に、一定時間分だけ再生中の動画情報をスキップさせるためのスキップボタン５９ａ，５９ｂが一対備え付けられている。すなわち、リモコン５９からの信号を受信する動画再生装置１には、一定時間だけ動画情報をスキップするためのスキップ時間が、あらかじめスキップ設定時間として、ハードディスク７に保存されている。尚、動画再生装置１には、リモコン５９側の指令に対応して複数のスキップ時間で動画情報をスキップ可能とするために、１５秒及び１分の二つのスキップ設定時間が設定され、ハードディスク７内に記録されている。
【００５４】そして、リモコン５９には、動画情報の時間軸における過去方向に、動画情報をスキップさせるための巻戻しスキップボタン５９ａと、未来方向に動画情報をスキップさせるための早送りスキップボタン５９ｂとが、備えられており、リモコン５９は、スキップボタン５９ａ，５９ｂを１回だけ押された場合、と、すばやく２回押された（所謂、ダブルクリック）場合の夫々に対応して、動画再生装置１側で設定されている二つのスキップ設定時間の内、該ボタン操作に対応するスキップ設定時間だけ動画情報をスキップするための指令信号、を動画再生装置１に送信する。
【００６５】また、本実施例の動画再生装置１では、上記スキップ処理で呼び出されるスキップ設定時間を変更することができる。つまり、利用者側のリモコン操作によってリモコン５９から、動画再生装置１に、リモコン受信部９を介して、スキップ設定時間の時間設定指令が下されると、ＭＰＵ１１にて、図４に示す時間設定処理が行われる。尚、図４は、動画再生装置１のＭＰＵ１１が実行する時間設定処理を示すフローチャートである。
【００６６】詳述すると、ＭＰＵ１１は、リモコン５９からリモコン受信部９を介して時間設定指令を受信した場合、Ｓ２１０にて、外部に接続されたＴＶ１５の画面に、現在のスキップ設定時間を示した時間設定画面（以下、単に「設定画面」と表現する。）を表示するために、ＯＳＤ４３に対して、該設定画面を映像情報に付加してＴＶ１５側に出力するように制御する。つまり、設定画面は、ＯＳＤ４１にて映像情報に付加されて、ＴＶ１５の画面に表示される。
【００６７】そして上記Ｓ２１０の処理後に、Ｓ２２０にて、設定画面に表示されているスキップ設定時間に変更があったかどうかを判断する。そして、スキップ設定時間に変更があれば、Ｓ２３０にて、設定画面を更新して、処理をＳ２２０に戻す。
【００６８】また、Ｓ２２０でスキップ設定時間の変更がなければ、Ｓ２４０にて、利用者側がスキップ設定時間の変更を確定したかどうかを判断し、変更が確定されてなければ、処理をＳ２２０に戻し、変更が確定されている場合には、処理をＳ２５０に移す。
【００６９】つまり、利用者側のリモコン操作によってリモコン５９から、設定画面に表示されている時間をスキップ設定時間として決定する指令が、リモコン受信部９を介してＭＰＵ１１に指令された場合には、ＭＰＵ１１は、処理をＳ２５０に移す。そして、Ｓ２５０にて、ＭＰＵ１１は、変更されたスキップ設定時間をハードディスク７に保存する。
【００７０】尚、このように時間設定処理を動画再生装置１に組み込むと、利用者は、所望のスキップ時間で動画情報をスキップできて、便利である。以上、本発明の実施例について説明したが、本実施例の動画伸張再生部５は、本発明の検出手段及び、再生手段に相当し、本実施例のＭＰＵ１１で行われるスキップ処理は、本発明の制御手段に相当する。また、本実施例のリモコン及びリモコン受信部は、本発明の入力手段に相当し、本実施例のＭＰＵで行われる時間設定処理は、本発明の、設定時間変更手段に相当する。
　
１−２．刊行物１に記載された発明
（ア）「動画再生装置」について
　刊行物１の上記段落【００３２】〜【００３４】には、動画再生装置１の構成を示す記載があり、これら段落の記載、特に段落【００３４】における
「動画再生装置１は、アンテナ１３等から入力された動画情報を動画受信圧縮部３にて、デジタル信号に変換し、ＭＰＥＧ−２方式で圧縮（以下、「ＭＰＥＧ圧縮」と表現する。）して、ハードディスク（ＨＤ）７に保存する他、再生時には、ハードディスク７から動画情報を読み出し、動画伸張再生部５にて、動画情報を伸張し、アナログ信号に変換して、該動画情報をＴＶ１５等の外部装置に出力する。」
との記載によれば、刊行物１に記載された発明は、アンテナ１３等から入力された動画情報を圧縮し、保存し、再生してテレビ等の外部出力装置に出力する動画再生装置における発明であることが理解できる。
　
　また、刊行物１には、
「【００５３】特に、本実施例の動画再生装置１のリモコン５９には、動画再生装置１に、一定時間分だけ再生中の動画情報をスキップさせるためのスキップボタン５９ａ，５９ｂが一対備え付けられている。」
「【００５４】そして、リモコン５９には、動画情報の時間軸における過去方向に、動画情報をスキップさせるための巻戻しスキップボタン５９ａと、未来方向に動画情報をスキップさせるための早送りスキップボタン５９ｂとが、備えられており、」
との記載があり、刊行物１の動画再生装置は「一定時間分だけ再生中の動画情報をスキップさせる」機能、すなわち“巻戻しスキップボタン５９ａあるいは早送りスキップボタン５９ｂを押すことによって一定時間分だけ再生中の動画情報を過去方向あるいは未来方向にスキップさせる機能”を有することが理解できる。
　さらに、刊行物１には、「【００６５】また、本実施例の動画再生装置１では、上記スキップ処理で呼び出されるスキップ設定時間を変更することができる。」とあり、上記「スキップさせる機能」のスキップ設定時間を変更可能であることが理解できる。
　以上をまとめると、刊行物１に記載された発明は、
「巻戻しスキップボタン５９ａあるいは早送りスキップボタン５９ｂを押すことによって一定時間分だけ再生中の動画情報を過去方向あるいは未来方向にスキップさせる機能を有し、
上記スキップ設定時間を変更可能とする、
アンテナ１３等から入力された動画情報を圧縮し、保存し、再生してテレビ等の外部出力装置に出力する動画再生装置における発明」であるといえる。
　
（イ）「スキップ設定時間の変更」について
　刊行物１の【００６５】ないし【００７０】には「【００６５】また、本実施例の動画再生装置１では、上記スキップ処理で呼び出されるスキップ設定時間を変更することができる。つまり、利用者側のリモコン操作によってリモコン５９から、動画再生装置１に、リモコン受信部９を介して、スキップ設定時間の時間設定指令が下されると、ＭＰＵ１１にて、図４に示す時間設定処理が行われる。尚、図４は、動画再生装置１のＭＰＵ１１が実行する時間設定処理を示すフローチャートである。
【００６６】詳述すると、ＭＰＵ１１は、リモコン５９からリモコン受信部９を介して時間設定指令を受信した場合、Ｓ２１０にて、外部に接続されたＴＶ１５の画面に、現在のスキップ設定時間を示した時間設定画面（以下、単に「設定画面」と表現する。）を表示するために、ＯＳＤ４３に対して、該設定画面を映像情報に付加してＴＶ１５側に出力するように制御する。つまり、設定画面は、ＯＳＤ４１にて映像情報に付加されて、ＴＶ１５の画面に表示される。
【００６７】そして上記Ｓ２１０の処理後に、Ｓ２２０にて、設定画面に表示されているスキップ設定時間に変更があったかどうかを判断する。そして、スキップ設定時間に変更があれば、Ｓ２３０にて、設定画面を更新して、処理をＳ２２０に戻す。
【００６８】また、Ｓ２２０でスキップ設定時間の変更がなければ、Ｓ２４０にて、利用者側がスキップ設定時間の変更を確定したかどうかを判断し、変更が確定されてなければ、処理をＳ２２０に戻し、変更が確定されている場合には、処理をＳ２５０に移す。
【００６９】つまり、利用者側のリモコン操作によってリモコン５９から、設定画面に表示されている時間をスキップ設定時間として決定する指令が、リモコン受信部９を介してＭＰＵ１１に指令された場合には、ＭＰＵ１１は、処理をＳ２５０に移す。そして、Ｓ２５０にて、ＭＰＵ１１は、変更されたスキップ設定時間をハードディスク７に保存する。
【００７０】尚、このように時間設定処理を動画再生装置１に組み込むと、利用者は、所望のスキップ時間で動画情報をスキップできて、便利である。」とあるから、動画再生装置は、スキップ設定時間の変更を可能とするための時間設定処理として、「リモコン受信部９を介して時間設定指令を受信した場合、処理Ｓ２１０で時間設定画面を表示し、処理Ｓ２２０で表示されているスキップ設定時間に変更があったか判断し、変更があれば処理Ｓ２３０で設定画面を更新し、処理Ｓ２４０で変更を確定したか判定し、確定された場合、処理Ｓ２５０で変更されたスキップ設定時間をハードディスクに保存する処理」、が組み込まれたものであるということができる。
　上記時間設定処理は、図４にてフローチャートで説明されていることから、各処理ステップ（Ｓ２１０ないしＳ２５０）を有する「時間設定処理方法」ともいうことができることは明らかである。
　したがって、刊行物１の動画再生装置は、スキップ設定時間の変更を可能とするための時間設定処理方法として、リモコン受信部９を介して時間設定指令を受信した場合、時間設定画面を表示する処理ステップＳ２１０、設定時間に変更があったか判断する処理ステップＳ２２０、変更があった場合設定画面を更新する処理ステップＳ２３０、変更が確定したか判断する処理ステップＳ２４０、確定された場合変更されたスキップ設定時間をハードディスクに保存する処理ステップ２５０の各処理ステップを有しているということができる。
　
（ウ）まとめ
　上記（ア）ないし（イ）によると刊行物１に記載された発明（以下「刊行物１発明」という）として、以下のとおりのものを認定することができる。
　
巻戻しスキップボタン５９ａあるいは早送りスキップボタン５９ｂを押すことによって一定時間分だけ再生中の動画情報を過去方向あるいは未来方向にスキップさせる機能を有し、
上記スキップ設定時間を変更可能とする、
アンテナ１３等から入力された動画情報を圧縮し、保存し、再生してテレビ等の外部出力装置に出力する動画再生装置における発明であって、
スキップ設定時間の変更を可能とするための時間設定処理方法として、
リモコン受信部９を介して時間設定指令を受信した場合、
時間設定画面を表示する処理ステップＳ２１０、
設定時間に変更があったか判断する処理ステップＳ２２０、
変更があった場合設定画面を更新する処理ステップＳ２３０、
変更が確定したか判断する処理ステップＳ２４０、
確定された場合変更されたスキップ設定時間をハードディスクに保存する処理ステップ２５０の各処理ステップを有する方法。
　
２．対比
　本願発明と刊行物１発明とを対比する。
　
（ア）ビデオ・レコーディング・システムに於ける時間ベース・ナビゲーション機能の時間値を管理する方法であって
　
　刊行物１発明の「アンテナ１３等から入力された動画情報を圧縮し、保存し、再生してテレビ等の外部出力装置に出力する動画再生装置」は、動画（ビデオ）情報を入力し、記録・再生し、表示するから、「ビデオ・レコーディング・システム」といえることは明らかである。
　
　本願発明の「時間ベース・ナビゲーション機能」は、本願明細書の記載に照らすと、例えば「インスタント・リプレイ」機能および「クイック・スキップ」機能であって（段落【００３１】）、「インスタント・リプレイ」ボタンを押すことによって、ビデオを瞬時に巻き戻してＸ秒前の箇所から再生し直したり、或いは「クイック・スキップ」ボタンを押すことによって、ビデオを瞬時にスキップしてＸ秒後の箇所から再生し直すことができるようにした機能であるということができる。
　一方、刊行物１発明は「巻戻しスキップボタン５９ａあるいは早送りスキップボタン５９ｂを押すことによって一定時間分だけ再生中の動画情報を過去方向あるいは未来方向にスキップさせる機能」を有しており、「一定時間分だけ再生中の動画情報をスキップさせる」機能、すなわち“巻戻しスキップボタン５９ａあるいは早送りスキップボタン５９ｂを押すことによって一定時間分だけ再生中の動画情報を過去方向あるいは未来方向にスキップさせる機能”は、ボタンを押すことにより、ビデオ（動画）を瞬時にスキップして、Ｘ秒（一定時間分）異なる箇所から再生可能とする点で、本願発明でいう上記「時間ベース・ナビゲーション機能」ともいえるものであることが明らかである。
　
　更に、本願発明の、上記時間ベース・ナビゲーション機能の「時間値を管理する方法」である点について、ここでいう「時間値を管理する」とは、上記請求項１の記載全体や明細書の記載に照らし、上記時間ベース・ナビゲーション機能の時間値（明細書の上記段落【０００２】の記載でいう「Ｘ秒」）について、その再設定（設定し直し）時間値を指定するユーザ入力を受け付けたり、受け付けた再設定時間値を今後の使用のために記憶したりすることをいうものであるということができる。
　これに対して、刊行物１発明は、以下で詳細に検討するように、「一定時間分だけ（過去方向／未来方向に）スキップする機能」の一定時間を、設定し、記憶する方法を有しているから、「時間ベース・ナビゲーション機能の時間値を管理する方法」に関する発明であるということができる。
　
　以上まとめると、本願発明と刊行物１発明とは「ビデオ・レコーディング・システムに於ける時間ベース・ナビゲーション機能の時間値を管理する方法」に関する発明である点で一致するということができる。
　
（イ）時間ベース・ナビゲーション機能について、供給された複数の予め設定された時間値から選択される、再設定時間値を指定するユーザ入力を受け付けるステップ
　
　刊行物１発明は、
「スキップ設定時間の変更を可能とするための時間設定処理方法として、
リモコン受信部９を介して時間設定指令を受信した場合、
時間設定画面を表示する処理ステップＳ２１０、
設定時間に変更があったか判断する処理ステップＳ２２０、
変更があった場合設定画面を更新する処理ステップＳ２３０、
変更が確定したか判断する処理ステップＳ２４０」
を有している。
　上記刊行物１発明の「スキップ（機能）」が、本願発明の「時間ベース・ナビゲーション機能」に相当することは、上記（ア）にて検討したとおりである。
　そして、刊行物１発明の上記ステップ（Ｓ２１０ないしＳ２４０）は、再生中の動画情報を一定時間分だけ過去方向あるいは未来方向にスキップさせる機能（すなわち「時間ベース・ナビゲーション機能」）を有するものであることを前提に、当該機能について、そのスキップ処理でのスキップ設定時間（本願発明でいう上記ナビゲーション機能の「時間値」）をユーザがリモコン操作によってＴＶ画面にＯＳＤ表示された設定画面上で変更できるようにしたことをいうものであって、そのようにする上で、変更後のスキップ設定時間（本願発明でいう「再設定時間値」）を指定するユーザ入力が受け付けられていることは明らかで、そうすると、刊行物１発明は、本願発明での上記「時間ベース・ナビゲーション機能について」「再設定時間値を指定するユーザ入力を受け付ける」構成を有しているということができる。
　もっとも、本願発明では、上記再設定時間値が「供給された複数の予め設定された時間値から選択される（、再設定時間値）」であるが、刊行物１発明はどのような入力手段（ステップ）を採用しているか明らかでない。
　
（ウ）前記時間ベース・ナビゲーション機能について、前記再設定時間値を、今後の使用のために、記憶するステップと、を含む方法
　
　刊行物１発明は、「スキップ設定時間の変更を可能とするための時間設定処理方法として、・・・変更が確定したか判断する処理ステップＳ２４０、確定された場合変更されたスキップ設定時間をハードディスクに保存する処理ステップ２５０ステップを有する方法」を有している。
　上記刊行物１発明の「スキップ（機能）」が、本願発明の「時間ベース・ナビゲーション機能」に相当することは、上記（ア）にて検討したとおりであり、刊行物１発明のステップＳ２１０ないしＳ２４０が、本願発明の「再設定時間値を指定するユーザ入力を受け付けるステップ」に相当することは上記（イ）にて検討したとおりである。
　してみると、刊行物１発明の「変更されたスキップ設定時間をハードディスクに保存する処理ステップ２５０」の「変更されたスキップ設定時間」は、本願発明の「再設定時間値」といえることは明らかであり、ハードディスクに保存した再設定時間は、刊行物１の「動画再生装置１には、一定時間だけ動画情報をスキップさせるためのスキップ時間があらかじめスキップ設定時間として、ハードディスク７に保存されている。」の記載を見れば、変更されたスキップ設定時間（上記再設定時間値）を今後の使用（上記時間ベース・ナビゲーション機能での使用）のために保存（記憶）しておくことをいうものであることが明らかである。
　以上のことからみて、刊行物１発明は「前記時間ベース・ナビゲーション機能について、前記再設定時間値を、今後の使用のために、記憶するステップ、を含む方法」を有しているということができる。
　
３．一致点、相違点
　本願発明と刊行物１発明との以上の対比によれば、本願発明と刊行物１発明とは、以下の一致点で一致し、相違点で相違する。
　
［一致点］
　ビデオ・レコーディング・システムに於ける時間ベース・ナビゲーション機能の時間値を管理する方法であって、
　時間ベース・ナビゲーション機能について、再設定時間値を指定するユーザ入力を受け付けるステップと、
　前記時間ベース・ナビゲーション機能について、前記再設定時間値を、今後の使用のために、記憶するステップと、
　を含む方法。
　
［相違点］
　本願発明では、再設定時間値が「供給された複数の予め設定された時間値から選択される（、再設定時間値）」であるが、刊行物１発明はどのような入力手段（ステップ）を採用しているか明らかでない点。
　
４．判断
　上記相違点について検討する。
　装置に何らかの処理を行わせる時の、制御のための設定値を入力するに際して、ｉ）操作者が、直接「数値」で入力する構成と、ｉｉ）装置が上記設定値の候補をいくつか提示し、操作者が上記候補の中から一つを選択することにより、設定値が入力される構成と、はいずれもよく知られており、また互いに適宜置換可能であることは、例えば、原査定で引用する再公表特許９８／４７１４６号（特にその第８２頁１０行目〜１６行）等の記載を見るまでもなく本願出願前一般的によく知られたことである。
　そして、刊行物１発明の、動画再生装置のスキップ設定時間の変更のための、設定時間を入力する構成において、時間という値を入力するのであるから、その値を、直接「数値」で入力する構成と、装置が上記設定値の候補をいくつか提示し、操作者が上記候補の中から一つを選択することにより、設定値が入力される構成のいずれを採用してもよいことは、当業者であれば、普通に想起し得たことであり、上記適宜置換可能な構成のうち一つを採用することは、当業者が適宜選択し得た設計的事項であるということができるから、刊行物１発明において、再設定時間値を、「供給された複数の予め設定された時間値から選択される（、再設定時間値）」とすることは、当業者が容易になし得たことである。
　
５．効果等
　以上のように、上記相違点は、当業者が容易に想到し得たものと認められ、本願発明全体としてみても格別のものはなく、その作用効果も、上記構成の採用に伴って当然に予測される程度のものにすぎず、格別顕著なものがあるとは認められない。
　
６．まとめ
 したがって、本願発明は、刊行物１に記載された発明及び周知技術に基づいて当業者が容易に発明をすることができたものである。
　
第四　むすび
　以上のとおりであるから、本願の請求項１に係る発明は、本願の出願前に日本国内で頒布された刊行物である上記刊行物１に記載された発明に基づいて当業者が容易に発明をすることができたものであり、したがって特許法２９条第２項の規定により特許を受けることができない。 
 　それ故、本願の請求項２から請求項２３までの各請求項に係る発明について検討するまでもなく、本願は拒絶すべきものである。 
　よって、結論のとおり審決する。